(57)【要約】【課題】電源用コネクタと燃料ポンプとの電気的接続構造における小型化を可能とする燃料供給装置を提供する。【解決手段】電力を出力する複数の出力ターミナルを有するコネクタと、複数の出力ターミナルに電気的に接続される複数のポンプターミナルを有する燃料ポンプとを備える燃料供給装置において、複数の出力ターミナルは、コネクタの外部へ露出しており、複数のポンプターミナルは、燃料ポンプの本体部から延設される複数のリード線の先端に接続されており、複数の出力ターミナルと複数のポンプターミナルがそれぞれ電気的に接続されて、複数組の接続ターミナルが形成されており、複数組の接続ターミナルのうち、隣り合う接続ターミナルの間には、絶縁材からなる隔壁を設ける。【選択図】図３
2011122494.tif 000002
【特許請求の範囲】
【請求項１】
電力を出力する複数の出力ターミナルを有するコネクタと、
前記複数の出力ターミナルに電気的に接続される複数のポンプターミナルを有する燃料ポンプとを備える燃料供給装置において、
前記複数の出力ターミナルは、前記コネクタの外部へ露出しており、
前記複数のポンプターミナルは、前記燃料ポンプの本体部から延設される複数のリード線の先端に接続されており、
前記複数の出力ターミナルと前記複数のポンプターミナルがそれぞれ電気的に接続されて、複数組の接続ターミナルが形成されており、
前記複数組の接続ターミナルのうち、隣り合う接続ターミナルの間には、絶縁材からなる隔壁が設けられたことを特徴とする燃料供給装置。
【請求項２】
前記隔壁は、前記コネクタに形成されたことを特徴とする請求項１に記載の燃料供給装置。
【請求項３】
前記コネクタは、樹脂材から形成されており、
前記隔壁は、前記コネクタと同一材料で前記コネクタに一体成形されたことを特徴とする請求項２に記載の燃料供給装置。
【請求項４】
前記複数の出力ターミナルは、間隔をあけて前記コネクタの外部へ露出しており、
前記隔壁は、前記コネクタから延設されており、
前記隔壁の延設された先端部は、
前記隣り合う接続ターミナルにおける前記ポンプターミナルの前記リード線側端部が互いに接触する方向に傾斜した時に、前記出力ターミナルが露出する前記コネクタの壁部と、前記隣り合う接続ターミナルとによって描かれる仮想の三角状ラインの外側に飛び出すように形成されたことを特徴とする請求項１〜請求項３のいずれか１つに記載の燃料供給装置。
【発明の詳細な説明】
【技術分野】
【０００１】
本発明は、燃料ポンプにコネクタが設けられた燃料供給装置に関するものである。
【背景技術】
【０００２】
従来、燃料供給装置における電源部との電気的な接続構造として、例えば特許文献１に示されるものが知られている。即ち、燃料供給装置における燃料ポンプは、電源用コネクタを介して電源部と接続される。電源用コネクタには燃料ポンプ側に延びる電気ケーブルが設けられており、この電気ケーブルの先端側と燃料ポンプとは、ポンプ用コネクタによって接続されている。
【先行技術文献】
【特許文献】
【０００３】
【特許文献１】特開２００５−２３３０７１号公報
【発明の概要】
【発明が解決しようとする課題】
【０００４】
上記ポンプ用コネクタとしては、一般に、電気ケーブルの先端側に設けられたターミナルを収容するコネクタと、燃料ポンプのリード線に設けられたターミナルを収容するコネクタとが嵌合されて、各ターミナル同士が電気的に接続される、いわゆる電気コネクタによる嵌合方式が使用されるが、このようなコネクタ嵌合方式においては、２つのコネクタの体格分のスペースを必要とするため、車両等への搭載性が厳しくなり、小型化を図る必要があった。
【０００５】
本発明の目的は、上記問題に鑑み、電源用コネクタと燃料ポンプとの電気的接続構造における小型化を可能とする燃料供給装置を提供することにある。
【課題を解決するための手段】
【０００６】
本発明は上記目的を達成するために、以下の技術的手段を採用する。
【０００７】
請求項１に記載の発明では、電力を出力する複数の出力ターミナルを有するコネクタと、
複数の出力ターミナルに電気的に接続される複数のポンプターミナルを有する燃料ポンプとを備える燃料供給装置において、
複数の出力ターミナルは、コネクタの外部へ露出しており、
複数のポンプターミナルは、燃料ポンプの本体部から延設される複数のリード線の先端に接続されており、
複数の出力ターミナルと複数のポンプターミナルがそれぞれ電気的に接続されて、複数組の接続ターミナルが形成されており、
複数組の接続ターミナルのうち、隣り合う接続ターミナルの間には、絶縁材からなる隔壁が設けられたことを特徴としている。
【０００８】
この発明によれば、コネクタにおける出力ターミナルがコネクタの外部へ露出され、また、ポンプターミナルが燃料ポンプの本体部から延設されるリード線の先端に設けられるようにして、各出力ターミナルおよびポンプターミナルをそれぞれ直接、電気的に接続するようにしているので、各ターミナルにそれぞれ専用のコネクタを設けて接続するコネクタ嵌合方式に比べて、専用コネクタの体格分のスペースを不要としたコンパクトな接続が可能となる。
【０００９】
ここで、複数組の接続ターミナルのうち、隣り合う接続ターミナルの間に、絶縁材からなる隔壁を設けるようにしているので、各接続ターミナルが変形等によって互いに接触しようとしても、この隔壁によって直接的な接触による導通、即ち、短絡を防止することがでる。よって、短絡の発生を防止するという基本的な機能を維持すると共に、専用コネクタを廃止した小型の接続構造を提供することができる。
【００１０】
請求項２に記載の発明では、隔壁は、コネクタに形成されたことを特徴としている。
【００１１】
この発明によれば、隔壁をコネクタに対して位置固定することができるので、隔壁が隣り合う接続ターミナルの間で移動することがなく、確実に各接続ターミナル同士の導通を防止することができる。
【００１２】
請求項３に記載の発明では、コネクタは、樹脂材から形成されており、
隔壁は、コネクタと同一材料でコネクタに一体成形されたことを特徴としている。
【００１３】
この発明によれば、部品点数を増加させることなく隔壁を設定することができるので、製造コストの増加を抑制することができる。
【００１４】
請求項４に記載の発明では、複数の出力ターミナルは、間隔をあけてコネクタの外部へ露出しており、
隔壁は、コネクタから延設されており、
隔壁の延設された先端部は、
隣り合う接続ターミナルにおけるポンプターミナルの前記リード線側端部が互いに接触する方向に傾斜した時に、出力ターミナルが露出するコネクタの壁部と、隣り合う接続ターミナルとによって描かれる仮想の三角状ラインの外側に飛び出すように形成されたことを特徴としている。
【００１５】
この発明によれば、各接続ターミナルが傾斜したとしても、各接続ターミナルは隔壁の先端部に先に当接し、隣り合う接続ターミナル同士が接触しない構造とすることができるので、確実に短絡を防止することができる。
【図面の簡単な説明】
【００１６】
【図１】第１実施形態におけるポンプモジュールを示す正面図である。
【図２】図１中のＩＩ方向から見た場合のポンプモジュールを示す平面図である。
【図３】コネクタおよびハイブリッドＩＣを示す分解斜視図である。
【図４】コネクタを示す側面図である。
【図５】コネクタを示す下面図である。
【図６】出力ターミナルおよびポンプターミナルと隔壁との位置関係を示す側面図である。
【図７】第２実施形態における隔壁を示す下面図である。
【発明を実施するための形態】
【００１７】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１８】
（第１実施形態）
以下、本発明の燃料供給装置に係る第１実施形態を、自動二輪車の燃料タンク２０に取り付けられるポンプモジュール１に適用した場合を例にして、図１〜図６に基づいて説明する。図１はポンプモジュール１を示す正面図、図２は図１中のＩＩ方向から見た場合のポンプモジュール１を示す平面図、図３はコネクタ３およびハイブリッドＩＣ４０を示す分解斜視図、図４はコネクタ３を示す側面図、図５はコネクタ３を示す下面図、図６は出力ターミナル３５およびポンプターミナル８３と隔壁３６との位置関係を示す側面図である。
【００１９】
図１、図２に示すように、ポンプモジュール１は、自動二輪車の内燃機関に燃料を供給するものであり、燃料タンク２０に取り付けられている。図１において、燃料タンク２０の壁部よりも下側がタンク内部であり、燃料タンク２０の壁部よりも上側がタンク外部である。ポンプモジュール１は、自動二輪車の通常の使用状態において燃料タンク２０の上側に取り付けられている。ポンプモジュール１は、大きく分けて、蓋部材２、ポンプ収容筒部６、燃料ポンプ８、プレッシャレギュレータ９、サクションフィルタ１０、およびコネクタ３を備えている。
【００２０】
蓋部材２は、燃料タンク２０に形成される開口部２１を閉塞し、燃料ポンプ８、プレッシャレギュレータ９、およびサクションフィルタ１０を支持する閉塞部材として機能する。蓋部材２は、ポリアセタール樹脂（以下、ＰＯＭ樹脂とも称する）、ポリブチレンテレフタレート樹脂（以下、ＰＢＴ樹脂とも称する）等を材料とし、金型を用いた成形加工により形成されている。蓋部材２は、燃料タンク２０の開口部２１に嵌合固定される板状のフランジ部２ａと、フランジ部２ａから燃料タンク２０の内部側に向けて筒状に突出して形成されているホルダ部２ｂとを備えている。ホルダ部２ｂの外周には、Ｏリング２ｅが嵌められており、このＯリング２ｅによって開口部２１と蓋部材２との間がシールされている。
【００２１】
蓋部材２は、燃料ポンプ８が吐出する燃料を燃料タンク２０の外部に供給するために、フランジ部２ａから燃料タンク２０の外側に向けて突出して設けられた吐出管５を備えている。この吐出管５は、内部が燃料通路となっており、燃料ポンプ８の吐出口８２およびプレッシャレギュレータ９の圧力作用部に連通している。
【００２２】
蓋部材２は、ホルダ部２ｂの内側に、プレッシャレギュレータ９の外周部と嵌合してプレッシャレギュレータ９を保持する円筒状の第一保持部２ｃと、燃料ポンプ８の外周部における長手方向の一方側と嵌合して燃料ポンプ８を保持する円筒状の第二保持部２ｄと、ポンプ収容筒部６の外周部と係合してポンプ収容筒部６を保持する係合片７とを備えている。
【００２３】
第一保持部２ｃおよび第二保持部２ｄは、吐出管５内の燃料通路に連通している。また、第二保持部２ｄのフランジ部２ａ側には、燃料ポンプ８から延出されるリード線８ａ（図６）を挿通させるための貫通孔が設けられている。貫通孔は、吐出管５内の燃料通路とは連通しないようにして設けられている。
【００２４】
係合片７は、フランジ部２ａから軸方向に突出する短冊形の弾性部材であり、一個又は複数個設けられる。一個又は複数個の係合片７には、ポンプ収容筒部６と係合するための係合穴７１が形成されている。
【００２５】
ポンプ収容筒部６は、燃料ポンプ８の外周部における長手方向の他方側と嵌合し燃料ポンプ８の他方側を保持する有底円筒状をなしており、蓋部材２と同様に、ＰＯＭ樹脂、ＰＢＴ樹脂等によって形成されている。ポンプ収容筒部６の外周部には、係合片７の係合穴７１に嵌まって係合する係合突起６１が形成されている。また、ポンプ収容筒部６には、第一保持部２ｃの開口側に向けて延びて、プレッシャレギュレータ９の下端部位置を規制する位置規制部６３が形成されている。また、ポンプ収容筒部６の底部側には、燃料ポンプ８の吸入口８１と燃料タンク２０内とを連通する通路６２が形成されている。
【００２６】
燃料ポンプ８は、燃料タンク２０内の燃料を加圧して燃料タンク２０の外部に吐出する電動機器である。燃料ポンプ８は、本体部の外形が略円柱状に形成されており、長手方向の一方側が第二保持部２ｄに保持され、また、長手方向の他方側がポンプ収容筒部６によって保持されている。更に、このポンプ収容筒部６が係合片７に係合されて、燃料ポンプ８は、蓋部材２に固定されると共に、燃料タンク２０内に配置されている。
【００２７】
燃料ポンプ８は、電気モータにより駆動されるいわゆる電動式ポンプからなり、長手方向の他方側、つまりポンプ収容筒部６の底部側には吸入口８１が形成されており、長手方向の一方側、つまり第二保持部２ｄ側には吐出口８２がそれぞれ形成されている。
【００２８】
燃料ポンプ８には、燃料ポンプ８の本体部から延設される複数（３本）のリード線８ａ（図６）が設けられている。この複数のリード線８ａは、燃料ポンプ８の駆動用の電気モータとして使用するブラシレスモータに電力を供給するための駆動電流が流れるリード線である。そして、各リード線８ａの先端側には、ポンプターミナル８３がそれぞれ接続されている。各ポンプターミナル８３の外側には、いわゆるコネクタのような覆いは設けられておらず、ポンプターミナル８３は、リード線８ａの先端部で裸の状態となっている（図６）。また、ポンプターミナル８３の先端側は、袋状に形成された、いわゆるメス型ターミナルとなっている。
【００２９】
プレッシャレギュレータ９は、燃料ポンプ８から吐出される燃料圧力を予め定められた所定圧力に調節するためのものである。プレッシャレギュレータ９は、蓋部材２の第一保持部２ｃに、その圧力作用部を第一保持部２ｃの底部側、つまり圧力作用部を燃料通路に連通させるように保持されて、燃料タンク２０内に配置されている。したがって、燃料ポンプ８から吐出された燃料の圧力は、燃料通路を介してプレッシャレギュレータ９の圧力作用部へ作用する。
【００３０】
燃料ポンプ８から吐出された燃料圧力が所定圧力より高い場合には圧力作用部が開弁して、燃料ポンプ８から吐出された燃料の一部がプレッシャレギュレータ９の排出口から燃料タンク２０内へ排出されて燃料通路内の燃料圧力が低下する。やがて、燃料通路内の燃料圧力が所定圧力と同等あるいはそれ以下となると、圧力作用部が閉弁して、燃料の一部がプレッシャレギュレータ９の排出口から燃料タンク２０内へ排出されることが阻止されて、燃料通路の燃料圧力の低下が止まり、燃料通路の燃料圧力が所定圧力に維持される。
【００３１】
サクションフィルタ１０は、燃料ポンプ８が吸入する燃料中の異物等を除去するためのものであり、通路６２の吸入口８１とは反対側の端部に取り付けられている。サクションフィルタ１０は、その長手方向が燃料ポンプ８の長手方向と交差する方向を向くように取り付けられている。サクションフィルタ１０は、骨組部と、その骨組部を覆うエレメント１１とを有している。エレメント１１は、例えば不織布から構成されている。骨格部にエレメント１１を覆うことによりエレメント１１の内部に空洞を確実に形成して燃料の濾過及び吸い込み機能を果たすことができる。
【００３２】
コネクタ３は、図示しない電源部と燃料ポンプ８とをハイブリッドＩＣ４０を介して電気的に接続するものであり、蓋部材２の上側、即ち燃料タンク２０の外部に配置、固定されている。図３〜図６に示すように、コネクタ３は、コネクタ本体部３０、電源側接続部４、ポンプ側接続部３１、およびハイブリッドＩＣ４０を備えている。電源側接続部４は、フランジ部２ａの面に沿うようにコネクタ本体部３０に並んで配置されている。ポンプ側接続部３１は、コネクタ本体部３０の底部からフランジ部２ａ側に延設されている。コネクタ本体部３０、電源側接続部４、およびポンプ側接続部３０ａは、樹脂成形加工により一体的に形成されている。
【００３３】
コネクタ本体部３０は、外観形状が扁平の直方体状をなす有底の筐体として形成されている。コネクタ本体部３０のフランジ部２ａとは反対側となる部位（図３中の上側の面）には、外部に開口する開口部３２が形成されている。この開口部３２からフランジ部２ａ側、つまり底部面側に向かってハイブリッドＩＣ４０を収容可能とする収容部３３が形成されている。
【００３４】
電源側接続部４は、コネクタ本体部３０の側壁からフランジ部２ａの面に沿う方向に並ぶように延出された断面四角形の筒状をなす部位であり、内側には複数（２個）の入力ターミナル３４が配設されている。入力ターミナル３４は、細長の導電性を有する金属製板部材から形成されており、長手方向の一端側は、コネクタ本体部３０の側壁を貫通して収容部３３内に配置されている。入力ターミナル３４の一端側は、収容部３３内に収容された後のハイブリッドＩＣ４０の入力端子４２の位置と対応する位置に配置されている。また、入力ターミナル３４の他端側は、電源側接続部４の開口側近傍まで延びて、リード線のターミナルに接続されるための接続用端部となっている。
【００３５】
ポンプ側接続部３１は、コネクタ本体部３０における収容部３３の底部からフランジ部２ａ側に向けて延出された円筒状をなす部位であり、このポンプ側接続部３１には、複数（３個）の出力ターミナル３５が配設されている。出力ターミナル３５は、上記の入力ターミナル３４と同様に、細長の導電性を有する金属製板部材から形成されており、長手方向の一端側は、ポンプ側接続部３１の内部を通り、コネクタ本体部３０の底部を貫通して収容部３３内に配置されている。そして、出力ターミナル３５の一端側は、収容部３３内に収容された後のハイブリッドＩＣ４０の出力端子４３の位置と対応する位置に配置されている（図３）。ポンプ側接続部３１の内部においては、出力ターミナル３５は、ポンプ側接続部３１を形成する樹脂材によって埋められた形となっている。
【００３６】
また、出力ターミナル３５の他端側は、ポンプ側接続部３１から飛び出して、露出した状態となっており、燃料ポンプ８の複数のポンプターミナル８３に接続されるための接続用端部となっている。出力ターミナル３５の他端側は、板部材のままの平板状に形成された、いわゆるオス型のターミナルとなっている。複数の出力ターミナル３５は、図５に示すように、円筒状のポンプ側接続部３１の先端部における円形状の内側に所定半径の同心円を描いた時に、出力ターミナル３５の板面がその同心円に接するように、且つ同心円の周方向に等間隔で並ぶように配置されている。つまり、複数の出力ターミナル３５は、互いに間隔をあけて配置されている。
【００３７】
図３〜図６に示すように、ポンプ側接続部３１の先端部には、この先端部からフランジ部２ａ側に向けて延びる板状の隔壁３６が形成されている。隔壁３６は、ポンプ側接続部３１と同一の樹脂材から成り、ポンプ側接続部３１（コネクタ３）と一体成形されている。隔壁３６は、ここでは、図５に示すように、複数（３枚）の細長の板部材の一方の長辺同士を互いに接合し、更に板部材の短辺が互いに接合された長辺を軸とする周方向に等間隔となるように放射状に配置されて形成されている。互いに接合された長辺は、円筒状のポンプ側接続部３１の軸線上に配置され、長辺の一端側がポンプ側接続部３１の先端部に接合され、長辺の他端側が出力ターミナル３５の他端側よりも更にフランジ部２ａ側に延びるように配置されている。そして、隔壁３６の各板部材は、複数の出力ターミナル３５の間に配置されるようになっている。
【００３８】
ポンプ側接続部３１は、蓋部材２のフランジ部２ａに形成された貫通孔（図示せず）に嵌まった状態で固定されて、複数の出力ターミナル３５の他端側は、燃料ポンプ８の複数のポンプターミナル８３に、オスとメスとの嵌合によってそれぞれ電気的に接続されている。よって、各出力ターミナル３５と各ポンプターミナル８３とがそれぞれ、嵌合接続されて、複数組の接続されたターミナルが形成される（図６）。以下、出力ターミナル３５とポンプターミナル８３とが接続された状態のターミナルを接続ターミナルと呼ぶことにする。隔壁３６は、複数の出力ターミナル３５の間に配置されるようになっていることから、複数組の接続ターミナルの間に配置されることになる。
【００３９】
ここで、図６に示すように、隔壁３６の各板部材のうち、隣り合う接続ターミナルの間に位置するひとつの板部材の厚みをＤ、ポンプ側接続部３１からフランジ部２ａ側に延設される方向の長さをＬとした時に、この厚みＤと長さＬを以下のような考え方で設定するようにしている。
【００４０】
即ち、厚みＤと長さＬによって描かれる隔壁３６の板部材の長方形状のアウトラインの一部が、隣り合う位置にある接続ターミナルが互いに接触した場合に描かれる三角状のラインの外側に位置するようにしている。ここでは、隔壁３６の板部材の先端（長さＬの位置）における角部が三角状のラインの外側に飛び出すようにしている。
【００４１】
上記三角状のラインとは、例えば、以下のように想定されるラインである。つまり、出力ターミナル３５は、ポンプ側接続部３１から露出するようにフランジ２ａ側に延設されている。また、ポンプターミナル８３は、燃料ポンプ８のリード線８ａの先端側で裸の状態で接続されている。よって互いに接続された出力ターミナル３５とポンプターミナル８３（接続ターミナル）は、製造工程での取り扱いや組付け時等における何らかの外力（図６中の白矢印）を受けると、出力ターミナル３５がポンプ側接続部３１の付け根部から傾斜するように曲がり、ポンプターミナル８３はリード線側端部（図６中のＡ点）で接触することが想定される。この時、隔壁３６が想定されていない場合であると、ポンプ側接続部３１の先端部の面と、隣り合う接続ターミナルとによって仮想の三角状のライン（図６中の２点鎖線）が描かれる。そして、隔壁３６の板部材の先端の角部が仮想された三角状のラインよりも外側に飛び出すように、板部材の厚みＤ、および長さＬが設定されている。
【００４２】
ハイブリッドＩＣ４０は、燃料ポンプ８を駆動するための駆動電流を制御する駆動回路であり、図３に示すように、電子回路部分を内蔵する回路本体部４１と、この回路本体部４１からそれぞれ外部に露出する複数（３個）の入力端子４２、及びこの入力端子４２とは反対側外部に露出する複数（３個）の出力端子４３とを備えている。ハイブリッドＩＣ４０は、コネクタ本体部３０の収容部３２に収容されている。
【００４３】
回路本体部４１は、電子回路部分を樹脂材料でモールドすることにより所定の形状に成形されている。本実施形態では、回路本体部４１は、コネクタ本体部３０の開口部３２から収容部３３の底部面側に向かう方向に扁平となる直方体をなしている。入力端子４２は、図示しない電源部用の端子となるものであり、回路本体部４１の樹脂モールド部分の一方の側壁から外方に突出するように複数（３個）形成されている。出力端子４３は、燃料ポンプ８用の端子となるものであり、上記一方の側壁と対向する他方の側壁から外方に突出するように複数（３個）形成されている。各端子４２、４３は、細長の板状に形成されて、各端子４２、４３の板面が収容部３３の底面部に沿うようになっている。また、各端子４２、４３は、突出するそれぞれの側壁において、コネクタ本体部３０と電源側接続部４とが並ぶ方向に対して交差する方向で、且つ収容部３３の底部面に沿って所定間隔で一列に並ぶように配置されている。
【００４４】
ハイブリッドＩＣ４０は、コネクタ本体部３０の開口部３２から収容部３３に収容され、入力端子４２が入力ターミナル３４の一端側に接続され、更に、出力端子４３が出力ターミナル３５の一端側に接続されている。各端子４２、４３と各ターミナル３４、３５とは、溶接（例えば、プロジェクション溶接、その他の抵抗溶接）等によって接続されており、確実な電気的接続を成している。そして、収容部３３内には、例えばシリコンが充填されてハイブリッドＩＣ４０は、収容部３３内に密封される。
【００４５】
このように形成されたポンプモジュール１においては、電源側接続部４に電源部（電源部のリード線）が接続される。電源部から電力が供給されると、ハイブリッドＩＣ４０によって電流が制御され、燃料ポンプ８が所定の状態で作動される。そして、燃料タンク２０内の燃料が、サクションフィルタ１０、燃料ポンプ８、プレッシャレギュレータ９、および吐出管５を通り、内燃機関側に供給される。
【００４６】
本実施形態においては、コネクタ３における出力ターミナル３５がコネクタ本体部３０の外部へ露出され、また、ポンプターミナル８３が燃料ポンプ８の本体部から延設されるリード線の先端に裸の状態で設けられるようにして、これらターミナル３５、８３をそれぞれターミナル嵌合によって直接、接続するようにしているので、各ターミナル３５、８３にそれぞれ専用のコネクタを設けて接続するコネクタ嵌合方式に比べて、専用コネクタの体格分のスペースを不要としたコンパクトな接続が可能となる。
【００４７】
ここで、複数組の接続ターミナルのうち、隣り合う接続ターミナルの間に、絶縁材からなる隔壁３６を設けるようにしているので、各接続ターミナルが変形等によって互いに接触しようとしても、この隔壁３６によって直接的な接触による導通、即ち、短絡を防止することができる。よって、短絡の発生を防止するという基本的な機能を維持すると共に、専用コネクタを廃止した小型の接続構造を提供することができる。
【００４８】
また、隔壁３６をコネクタ３のポンプ側接続部３１に形成するようにしているので、隔壁３６をポンプ側接続部３１（コネクタ３）に対して位置固定することができ、隔壁３６が隣り合う接続ターミナルの間で移動することがなく、確実に各接続ターミナル同士の導通を防止することができる。
【００４９】
また、隔壁３６をコネクタ３のポンプ側接続部３１に一体的に、具体的には同一樹脂材料による一体成形で設けるようにしているので、部品点数を増加させることがなく、製造コストの増加を抑制することができる。
【００５０】
また、複数の出力ターミナル３５は、間隔をあけてポンプ側接続部３１（コネクタ３）の外部へ露出させて、隔壁３６は、ポンプ側接続部３１から延設されるようにして、隔壁３６の延設された先端部は、出力ターミナル３５が露出するポンプ側接続部３１の先端における壁部と、隣り合う接続ターミナルとによって描かれる仮想の三角状ラインの外側に飛び出すようにしている。これにより、各接続ターミナルが傾斜したとしても、各接続ターミナルは隔壁３６の先端部に先に当接し、隣り合う接続ターミナル同士が接触しない構造とすることができるので、確実に短絡を防止することができる。
【００５１】
（第２実施形態）
第２実施形態を図７に示す。第２実施形態は、上記第１実施形態に対して隔壁３６の形状を変更し、隔壁３６ａ（図７（ａ））、隔壁３６ｂ（図７（ｂ））としたものである。
【００５２】
隔壁３６ａは、上記第１実施形態の隔壁３６に対して、隣り合う位置にある接続ターミナル同士が直接的に接触し得る領域に、実質的な板部材を配置したものとしている。つまり、上記第１実施形態の隔壁３６に対して、板部材の互いに接合される部位の近傍を除肉し、３つの独立した板部材が、ポンプ側接続部３１の中心から放射状に配置されたものとしている。３つの独立した板部材は、ポンプ側接続部３１の中心に対して周方向に等間隔配置となっている。
【００５３】
この隔壁３６ａによれば、実質的な各接続ターミナル同士の接触を防止しつつも、板部材の互いに接合される部位の近傍を除肉しているので、隔壁３６ａ自身の材料費の低減が可能となる。
【００５４】
また、隔壁３６ｂは、上記第１実施形態の隔壁３６に対して、３つの板部材の組み合わせを２つの板部材の組み合わせとし、２つの板部材によってＴ字状に配置されたものとしている。この隔壁３６ｂにおいても、上記第１実施形態と同様の効果を得ることができる。
【００５５】
（その他の実施形態）
以上、本発明の好ましい実施形態について説明したが、本発明は上述した実施形態に何ら制限されることなく、本発明の主旨を逸脱しない範囲において種々変形して実施することが可能である。
【００５６】
上記各実施形態では、隔壁３６（３６ａ、３６ｂ）の厚さＤ、および長さＬの設定を、図６で説明した考え方に基づいて行う旨を説明したが、これに限らず、厚さＤには関係なく、長さＬを、接続される出力ターミナル３５とポンプターミナル８３とのトータル長さ寸法よりも長く設定するようにしても良い。例えば、隔壁の長さＬを図６中の接触点Ａよりも燃料ポンプ８側に延ばすようにしても良い。
【００５７】
これによれば、隣り合う接続ターミナルが接触した場合に描かれる仮想の三角状のラインに関係なく、隔壁３６（３６ａ、３６ｂ）の厚さＤの設定が可能となる。即ち、極力、厚さＤを薄くした隔壁３６（３６ａ、３６ｂ）での対応が可能となる。
【００５８】
また、隔壁３６（３６ａ、３６ｂ）は、コネクタ３に一体成形されるものとして説明したが、隔壁３６（３６ａ、２６ｂ）のみを別部品として形成しておき、コネクタ３に組付けしたものとしても良い。
【００５９】
また、隔壁３６（３６ａ、３６ｂ）は、基本的に各接続ターミナルの間に介在されて、各接続ターミナル同士の接触を防止可能であれば良く、コネクタ３側に一体成形、あるいは固定されるものに限定されるものではない。
【００６０】
また、上記各実施形態では、コネクタ３は、蓋部材２に対して別体部品として成形されて、両者３、２が組付けされてポンプモジュール１を形成するようにしたが、これに限らず、コネクタ３は、蓋部材２に一体成形されたものとしても良い。
【００６１】
また、ポンプモジュール１において、燃料ポンプ２０の駆動用電動機をブラシレスモータとしたが、他の種類の電動機に置き換えても良い。たとえば、整流子式直流モータ等を用いても良い。
【００６２】
またポンプモジュール１を自動二輪車の燃料タンク２０に適用するものとしたが、自動二輪車の燃料タンク２０に限るものではなく、他の内燃機関に供給される燃料が収容される燃料タンクにポンプモジュール１を適用してもよい。
【００６３】
また、本コネクタ３を、燃料ポンプ８と電源部とを接続するものとしたが、燃料ポンプ８に限らず、例えば電動コンプレッサのような他の電動機器を対象としたものとしても良い。
【符号の説明】
【００６４】
１    ポンプモジュール（燃料供給装置）
３    コネクタ
８    燃料ポンプ
８ａ  リード線
２０  燃料タンク
３５  出力ターミナル
３６、３６ａ、３６ｂ  隔壁
８３  ポンプターミナル
【図１】
2011122494.tif 000003
【図２】
2011122494.tif 000004
【図３】
2011122494.tif 000005
【図４】
2011122494.tif 000006
【図５】
2011122494.tif 000007
【図６】
2011122494.tif 000008
【図７】
2011122494.tif 000009